(57)【特許請求の範囲】
【請求項１】
所定方向に離間する一対の端部脚の間が天板を介して直接又は間接に連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
前記下補強連結部は、一方の中間脚要素の上端部側と他方の中間脚要素の下端部側との間を連結するものであることを特徴とするテーブル。
【請求項２】
所定方向に離間する一対の端部脚の間が天板を介して直接又は間接に連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
前記下補強連結部は、一対の中間脚要素の間を連結する面板部を具備するものであることを特徴とするテーブル。
【請求項３】
所定方向に離間する一対の端部脚の間を横架材で連結して脚体を構成し、この脚体に天板を支持させており、前記一対の端部脚の間が天板を介して直接又は間接に連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
前記中間脚要素の間を連結する上補強連結部が前記横架材を含んで構成されることを特徴とするテーブル。
【請求項４】
所定方向に離間する一対の端部脚の間を横架材で連結して脚体を構成し、この脚体に天板を支持させており、前記一対の端部脚の間が天板を介して直接又は間接に連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
前記複数の横架材の間を脚受け部材で接続し、中間脚要素の間を連結する上補強連結部が前記脚受け部材を含んで構成されることを特徴とするテーブル。
【請求項５】
所定方向に離間する一対の端部脚の間が天板で直接連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
中間脚要素の間を連結する上補強連結部が前記天板を含んで構成されることを特徴とするテーブル。
【請求項６】
所定方向に離間する一対の端部脚の間が天板を介して直接又は間接に連結されるものにおいて、
前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、
前記所定方向と直交する方向に、対面で使用可能な一対の天板領域が設定され、中間脚要素はそれら天板領域間の境界部の下方に配置されていることを特徴とするテーブル。
【請求項７】
下補強連結部は、一方の中間脚要素の上端部側と他方の中間脚要素の下端部側との間を連結するものである請求項２〜６の何れかに記載のテーブル。
【請求項８】
前記所定方向と直交する方向に、対面で使用可能な一対の天板が所定の隙間を介して配置され、中間脚要素はそれら天板間の隙間の下方に配置されている請求項１〜７の何れかに記載のテーブル。
【発明の詳細な説明】
【技術分野】
【０００１】
本発明は、天板の横揺れに善処したテーブルに関するものである。
【背景技術】
【０００２】
テーブルは、天板の四隅下面を脚柱に支持させて構成されるものが一般的であり、強度を高めるために、様々な工夫を凝らしたものが提案されている。
【０００３】
例えば、特許文献１には、横桟及び天板用の支持ブラケットの脚への取付強度を高めることにより、天板を安定して強固に支持し、加工・組立て工数およびコストを低減したテーブルを提供すべく、断面Ｌ字形の支持ブラケットの上板部を脚の上端面に固定するとともに、上板部から垂下する側板部を、前脚の側面と、横桟の両面との間に挟んで、それらをねじにより固定して、支持ブラケットを脚に固定し、上板部上に天板を取付けるようにした構造が開示されている。横桟間は前後一対の連結杆によって連結されている。
【先行技術文献】
【特許文献】
【０００４】
【特許文献１】特開２００５−１６０８３６号公報
【発明の概要】
【発明が解決しようとする課題】
【０００５】
ところが、かかる特許文献１のものは、横桟に対する脚の取付強度を高めることはできても、天板や連結杆それ自体の剛性を高めるものではない。このため、天板や連結杆の剛性に起因して生じる横揺れを防止する手立てにはなり難い。
【０００６】
すなわち、所定方向に離間する一対の端部脚の間が天板を介して直接又は間接に連結されるこの種のテーブルにおいては、脚周辺の強度を高めて天板を安定して強固に支持したつもりでも、使用中に天板中央部が横揺れする現象が現れることがある。近時のフリーアドレスタイプのテーブル等では一対の端部脚の間が広く、天板に幅広な大型天板が用いられる傾向にあり、脚周辺部での歪みのほかに、天板や横架材の撓み等に起因した振動も無視できない。例えば、天板上で消しゴムを使用すると、その周期が天板や横架材の持つ固有振動数に共振した場合等に、普段では現れない横揺れ現象が健在化することがある。このため、脚周辺の取付強度を高めるだけでは、横揺れ対策としては不十分である。
【０００７】
本発明は、このようにテーブルに内在する課題を新たに知見することによりなされたものであって、天板や横架材、端部脚等の構造躯体を重厚で過剰品質とすることなく、天板の横揺れに適切に善処した新たなテーブルを提供することを目的としている。
【課題を解決するための手段】
【０００８】
本発明は、かかる目的を達成するために、次のような手段を講じたものである。
【０００９】
すなわち、本願における第１の発明のテーブルは、所定方向に離間する一対の端部脚の間が天板を介して直接又は間接に連結されるものにおいて、前記端部脚よりも内側へ離れた位置に、天板を直接又は間接に支持すべく少なくとも２つの中間脚要素を前記所定方向に沿って配置し、これら２つの中間脚要素の上端部間およびそれよりも下部間を上補強連結部と下補強連結部で連結してなり、前記下補強連結部は、一方の中間脚要素の上端部側と他方の中間脚要素の下端部側との間を連結するものであることを特徴とする。
【００１０】
中間脚要素は天板側への接続点に近い付け根が相互に連結されるだけでなく、付け根から遠い位置が下補強連結部によっても相互に連結されるため、中間脚要素の付け根に過大な倒れモーメント荷重が集中することを回避することができる。中間脚要素を取り付けた場合、天板の横揺れには中間脚要素の倒れが伴うが、このように中間脚要素の倒れを抑える結果、天板の横揺れに対する強度を有効に高めることができる。そして、単に２つの中間脚要素を追加して相互に上下の補強連結部で連結するだけであるから、構造躯体となる中間脚を抜本的に重厚とすることなく、天板の横揺れに簡易に対応することが可能となる。また、下補強連結部は、一方の中間脚要素の上端部側と他方の中間脚要素の下端部側との間を連結するものであることから、中間脚要素の倒れに対して高い強度を実現することが可能となる。
【００１１】
ここで、中間脚要素とは、脚支柱のように独立した脚の形態をなしているものに限らず、上からの圧縮強度を増すような構造を備えているもの全般を言う。例えば、板材の曲げ加工部分、しぼり加工部分、補強材の取付部分などによって圧縮強度を高める構造を備えた部分は、本発明の中間脚要素たり得る。したがって、中間脚要素に対して上補強連結部や下補強連結部は一体として構成されても別体として構成されて接続されても構わない。
【００１２】
本願における第２の発明のテーブルは、所定方向に離間する一対の端部脚の間が天板を介して直接又は間接に連結されるものにおいて、前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、前記下補強連結部は、一対の中間脚要素の間を連結する面板部を具備するものであることを特徴とする。こうすることで、中間脚要素の付け根に過大な倒れモーメント荷重が集中することを回避することができ、天板の横揺れに対する強度を有効に高めることができる。さらに、下補強連結部は、一対の中間脚要素の間を連結する面板部を具備するものとしていることから、一層の強度向上とともに、中間脚要素の間の隙間を埋める化粧材としても利用することができる。
【００１３】
本願における第３の発明のテーブルは、所定方向に離間する一対の端部脚の間を横架材で連結して脚体を構成し、この脚体に天板を支持させており、前記一対の端部脚の間が天板を介して直接又は間接に連結されるものにおいて、前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、前記中間脚要素の間を連結する上補強連結部が前記横架材を含んで構成されることを特徴とする。こうすることで、中間脚要素の付け根に過大な倒れモーメント荷重が集中することを回避することができ、天板の横揺れに対する強度を有効に高めることができる。さらに、一対の端部脚の間を横架材で連結して脚体を構成し、この脚体に天板を支持させてなるものであって、中間脚要素の間を連結する上補強連結部が前記横架材を含んで構成されるようにすることで、横架材の剛性を高めることで横揺れを抑えることもできる。
【００１４】
本願における第４の発明のテーブルは、所定方向に離間する一対の端部脚の間を横架材で連結して脚体を構成し、この脚体に天板を支持させており、前記一対の端部脚の間が天板を介して直接又は間接に連結されるものにおいて、前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、前記複数の横架材の間を脚受け部材で接続し、中間脚要素の間を連結する上補強連結部が前記脚受け部材を含んで構成されることを特徴とする。こうすることで、中間脚要素の付け根に過大な倒れモーメント荷重が集中することを回避することができ、天板の横揺れに対する強度を有効に高めることができる。さらに、複数の横架材の間を脚受け部材で接続し、中間脚要素の間を連結する上補強連結部が前記脚受け部材を含んで構成されるようにすることで、一対の端部脚の間を複数の横架材で連結して脚体を構成し、この脚体に天板を支持させてなるテーブルにおいて、中間脚要素の倒れ剛性を有効に高め、脚受け部材にも制振作用を営ませることもできる。
【００１５】
本願における第５の発明のテーブルは、所定方向に離間する一対の端部脚の間が天板で直接連結されるものにおいて、前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、中間脚要素の間を連結する上補強連結部が前記天板を含んで構成されることを特徴とする。こうすることで、中間脚要素の付け根に過大な倒れモーメント荷重が集中することを回避することができ、天板の横揺れに対する強度を有効に高めることができる。さらに、中間脚要素の間を連結する上補強連結部が前記天板を含んで構成されていることから、天板の剛性を高めることで横揺れを抑えることもできる。
【００１６】
本願における第６の発明のテーブルは、所定方向に離間する一対の端部脚の間が天板を介して直接又は間接に連結されるものにおいて、前記端部脚よりも内側へ離れた位置に、天板を支持すべく少なくとも２つの中間脚要素を前記所定方向に沿って配置し、これら２つの中間脚要素の上端部間およびそれよりも下部間を上補強連結部と下補強連結部で連結してなり、前記所定方向と直交する方向に、対面で使用可能な一対の天板領域が設定され、中間脚要素はそれら天板領域間の境界部の下方に配置されていることを特徴とする。こうすることでも、中間脚要素の付け根に過大な倒れモーメント荷重が集中することを回避することができ、天板の横揺れに対する強度を有効に高めることができる。さらに、前記所定方向と直交する方向に、対面で使用可能な一対の天板領域が設定されている場合に、中間脚要素をそれら天板領域間の境界部の下方に配置されるようにすることで、テーブルに対面で着座した場合に中間脚要素が下肢空間の利用の妨げになることを適切に防止することもできる。
【００１７】
上記第２〜第６の発明のテーブルにおいて、中間脚要素の倒れに対して高い強度を実現するためには、下補強連結部は、一方の中間脚要素の上端部側と他方の中間脚要素の下端部側との間を連結するものが好ましい。
【００１８】
上記第１〜第６の発明のテーブルにおいて、テーブルに対面で着座した場合に中間脚要素が下肢空間の利用の妨げになることを適切に防止するためには、前記所定方向と直交する方向に、対面で使用可能な一対の天板が所定の隙間を介して配置され、中間脚要素はそれら天板間の隙間の下方に配置されていることが好ましい。
【発明の効果】
【００１９】
本発明は、以上説明したように、少なくとも一対の中間脚要素を端部脚の離間方向に沿って天板を支持するように配置し、上下の補強連結部で中間脚要素相互の倒れを拘束するようにしたので、中間脚要素の付け根に過大な倒れモーメント荷重が集中することを回避して中間脚要素を倒れ難い構造にし、ひいてはこの中間脚要素に支持された天板が中間脚要素の倒れとともに横揺れする現象を防止して、簡易な構成でテーブルの使用感を飛躍的に向上させることが可能となる。
【図面の簡単な説明】
【００２０】
【図１】本発明の一実施形態におけるテーブル全体を示す斜視図。
【図２】同実施形態におけるテーブルの正面図。
【図３】同実施形態における端部脚と横架材の関係を示す平面図。
【図４】同実施形態における脚体と中間脚の関係を示す側面図。
【図５】同実施形態における横桟と横架材の関係を示す部分拡大斜視図。
【図６】同実施形態における中間脚の取付構造を示す側断面図。
【図７】同実施形態における中間脚の取付構造を示す部分分解斜視図。
【図８】本発明の他の実施形態を示す正面図。
【図９】本発明の更に他の実施形態を示す部分的な斜視図。
【図１０】本発明の上記以外の実施形態を示す正面図。
【図１１】本発明のさらに上記以外の実施形態を示す斜視図。
【発明を実施するための形態】
【００２１】
以下、本発明の一実施形態を、図面を参照して説明する。
【００２２】
この実施形態のテーブルＴは、図１〜図４に示すように、所定方向である天板幅方向Ｘに離間する一対の端部脚１１、１１の間を４本の直線状の横架材１４で連結することにより自立可能とされる脚体１と、この脚体１に支持される天板２とを具備している。
【００２３】
端部脚１１は、前後の支柱１２の間を横桟１３で連結した門型のもので、図５に示すように、対面する横桟１３の立面１３ａに角パイプ状の横架材１４の端部１４ａをジョイント材１５を介し突き当てた状態で横桟１３と横架材１４とを連結している。ジョイント材１５はブロック体状のもので、横架材１４の端部１４ａに向かって嵌合部１５ａが突出しており、この嵌合部１５ａを横架材１４の端部１４ａに嵌合させ、横架材１４及び嵌合部１５ａを同時に貫通するピン１６１によって、ジョイント材１５を横架材１４の端部１４ａに取り付けている。図において符号１６２で示すものは、ピン１６１の抜け止め用のＣリングである。ジョイント材１５のうち嵌合部１５ａと反対側の部位には、横桟１３の上向面１３ｂに乗り上げるひさし状の突部１５ｂが設けてあり、ジョイント材１５の上面１５ｃに設定された天板支持面１５１はこの突部１５ｂの厚み分１５ｂＸだけ横桟１３の上向面１３ｂよりも高い位置に配置される。そして、ジョイント材１５の立面１５ｃを横桟１３の立面１３ａに突き当てた状態で水平方向のボルト１６３を介して当該ジョイント材１５を横桟１３に連結し、その状態でジョイント材１５の天板支持面１５１に載置される天板２に対して、鉛直方向のボルト１６４を介して当該天板２の下面２ｂをジョイント材１５に引き寄せて連結するものである。端部脚１１を構成する前後の支柱１２の下端１２ａにはアジャスタ１７が設けてある。
【００２４】
天板２は、図１、図３、図４等に示すように、天板幅方向Ｘと直交する奥行き方向Ｙに所定の隙間Ａを隔てて対をなして配置され、各天板２は、各々対応する２本の横架材１４の各ジョイント材１５に固定されている。図２及び図５等に示すように、横架材１４の上面１４ｂはジョイント材１５の上面１５ｃと同一高さ位置にあり、ジョイント材１５の上面１５ｃとともに天板支持面１４１、１５１を構成している。
【００２５】
この状態で、図４及び図５等に示すように、横架材１４は端部脚１１を構成する横桟１３の上下寸法１３Ｙ内にほぼ位置し、特に横架材１４の下面１４ｃは横桟１３の下面１３ｃよりも下方に突出していない。また、横架材１４は、図４等に示すように天板２の使用縁２ａの近くには位置していない。したがって、図１における天板幅方向Ｘに沿って対向する一対の使用縁２ａの何れの位置にも、下肢空間Ｚが最大に確保され、着席者の移動やワゴンの挿脱を天板幅方向Ｘに自由に行えるフリーアドレスタイプのテーブルＴを構成している。天板幅寸法２Ｘは、通常単独で使用される天板幅寸法２Ｘの２倍以上に設定されており、天板２は天板幅方向Ｘに沿って端部脚１１と端部脚１１の間が一枚もので構成されていて、この実施形態では幅方向中間位置Ｘ１に天板受け部材などは存していない。
【００２６】
そして本実施形態は、図１、図２等に示すように、前記端部脚１１よりも内側すなわち天板中央部２１側へ離れた位置において、それら天板２、２間の隙間Ａの下方に、天板２を支持すべく少なくとも２つの中間脚要素３１、３１を天板幅方向Ｘに沿って配置し、これら２つの中間脚要素３１、３１の上端部間３１Ｚおよびそれよりも下部間３ｂを上補強連結部３２と下補強連結部３３で連結している。すなわち、中間脚要素３１と端部脚１１とは相互に直接接続されることはなく、独立している。
【００２７】
中間脚要素３１、３１は、スチール板を用いて構成されるもので、図７等に示すように、面板部３ｐの両側縁３ｐａを角パイプ状に折り曲げることによって両側に中間脚要素３１、３１を形成するとともに、これら中間脚要素３１、３１の間３１Ｘの凹み部分３１１を、面板部３ｑの周囲を折り曲げた扁平箱状の蓋材３２で閉止して扁平な直方体状をなす中間脚３を構成している。蓋材３２と中間脚要素３１、３１との間は溶接等により連結されている。すなわち、これらの面板部３ｐ、３ｑは、一対の中間脚要素３１、３１の間３１Ｘを連結する下補強連結部３３としての役割を担っている。この実施形態における中間脚要素３１、３１は、脚支柱のように独立した脚の形態をなしているものではないが、上からの圧縮強度を増す脚としての機能を発揮する点で、脚の概念に含まれるものである。この意味で、中間脚要素３１、３１は、本実施形態のような板材の曲げ加工部分以外に、例えばしぼり加工部分、補強材の取付部分などのように、圧縮強度を高める対策を施した種々の態様が含まれる。
【００２８】
そして本実施形態は、図６及び図７等に示すように、これらの中間脚要素３１、３１を含む中間脚３の上端３ａに面板部３ｐ、３ｑと直交する逆台形状のブラケット３４を取り付け、このブラケット３４を下向きに開くチャネル状の脚受け部材４の中空部４１に挿入して、その溝底４２１となる上壁４２の下面４２ａに図６に示すような溶接継手等の継手部材４３を介して接合している。脚受け部材４は、鉄板を折り曲げたもので、一部に図７に示すような断面ハット状となる鍔部４４を有しており、上壁４２の上面４２ｂには折り曲げ方向と直交する方向に突条５１を有する断面ハット状の隙間閉止部材５が重合させてある。脚受け部材４の立壁４５の外法寸法４Ｙは、天板２の奥行き方向中央部の両側に位置する横架材１４、１４の内法寸法１４Ｙに略対応している。そして、前記隙間閉止部材５の突条５１を一対の天板２、２の隙間Ａに挿入した状態で、脚受け部材４の立壁４５を最寄の横架材１４、１４間に挿入し、その状態で鍔部４４を横架材１４の下面１４ｃに接触させて、当該鍔部４４を貫通させたボルト４６により当該脚受け部材４を横架材１４に緊締固定している。上記のように、脚受け部材４は両横架材１４、１４の間を接続し、この脚受け部材４に両中間脚要素３１、３１を含む中間脚３の上端部３１ａを取り付けていることから、脚受け部材４は一対の中間脚要素３１、３１の上端部間３１Ｚを連結する上補強連結部３２を構成している。
【００２９】
この中間脚要素３１、３１の下端部３１ｂにも、それぞれ図２等に示すようにアジャスタ３７が設けてあり、所定取付位置でアジャスタ３７が適切に接地する状態に調節して、テーブルＴへの中間脚の後付け作業が完了する。
【００３０】
前記天板２，２間の隙間Ａは、床からの配線を立ち上げる配線取出口としての利用が可能であり、前記脚受け部材４の一部に形成した取付片４ｐ（図７参照）は、前記隙間Ａの下方に図示しない配線ダクトを配置する際の取付先として適宜利用することが可能なものである。
【００３１】
以上のように構成される本実施形態のテーブルＴは、天板幅方向Ｘに離間する一対の端部脚１１の間が天板２を介して間接的に連結されるものであり、前記端部脚１１よりも内側へ離れた位置に、天板２を間接的に支持すべく少なくとも２つの中間脚要素３１、３１を所定方向である天板幅方向Ｘに沿って配置し、これら２つの中間脚要素３１、３１の上端部間３１Ｚおよびそれよりも下部間３ｂを上補強連結部３２と下補強連結部３３で連結したものである。
【００３２】
このように、中間脚要素３１、３１は天板２側への接続点となる付け根に近い位置で上補強連結部３２によって相互に連結される以外に、脚３の付け根から遠い位置において下補強連結部３３によっても相互に連結されるため、中間脚要素３１、３１の付け根に過大な倒れモーメント荷重が集中することを回避することができる。中間脚要素３１、３１を取り付けた場合、天板幅方向Ｘに沿った天板２の横揺れには中間脚要素３１、３１の倒れが伴うが、このように中間脚要素３１、３１の倒れを抑える結果、天板２の横揺れに対する強度を有効に高めることができる。そして、単に２つの中間脚要素３１、３１を追加して相互に上下の補強連結部３２、３３で連結するだけであるから、構造躯体である天板２や横架材１４、端部脚１１等を抜本的に重厚とすることなく、天板２の横揺れに簡易に対応することが可能となる。
【００３３】
また、下補強連結部３３は、一対の中間脚要素３１、３１の間を連結する面板部３ｐ、３ｑを供えており、面板部３ｐ、３ｑは、図２に一点鎖線で示すように一方の中間脚要素３１の上端部３１ａ側と他方の中間脚要素３１の下端部３１ｂ側との間をたすき掛け状に連結する連結機能を含んでいるため、一対の中間脚要素の倒れに対して高い強度を実現することができる。
【００３４】
勿論、このような面板部３ｐ、３ｑによって、一対の中間脚要素３１、３１の間がたすき掛け状となるだけでなく、面板部３ｐ、３ｑを介してまんべんなく連結されるので、一層の強度確保とともに、図７に示す中間脚要素３１、３１間の隙間（凹み部分）３１１を埋める化粧材としても機能し、外観の向上に資するものとなる。
【００３５】
さらに、本実施形態のテーブルＴは、上記のように一対の端部脚１１の間を複数の横架材１４で連結して脚体１を構成し、この脚体１に天板２を支持させてなるものであり、隣接する横架材１４の間を脚受け部材４で接続し、中間脚要素３１、３１の間を連結する上補強連結部３２が前記脚受け部材４を含んで構成されている。すなわち、中間脚要素３１、３１の上端部間３１Ｚが脚受け部材４によって連結され、この脚受け部材４が横架材１４に接続されるので、中間脚要素３１、３１の倒れ剛性が脚受け部材４を介して有効に高められることになる。しかも、脚受け部材４は複数の横架材１４の間を連結するため、脚受け部材４に横架材１４の振動の腹の部分を抑えて制振作用を営ませることができる。
【００３６】
そして、この実施形態のテーブルＴは、天板幅方向Ｘと直交する奥行き方向Ｙに、対面で使用可能な一対の天板２が所定の隙間Ａを介して配置され、中間脚要素３１、３１はそれら天板２間の隙間Ａの下方に配置されているので、テーブルＴに対面で着座した場合に中間脚要素３１、３１がテーブルＴの内奥に位置し、下肢空間Ｚの利用の妨げなることを適切に防止して、フリーアドレスタイプのテーブルＴとしての機能を有効に担保することができる。
【００３７】
なお、各部の具体的な構成は、上述した実施形態のみに限定されるものではない。
【００３８】
例えば、図８に示すように、一対の端部脚１１、１１の間１１Ｘを横架材１４で連結して脚体１を構成し、この脚体１に天板２を支持させてなるものにおいて、中間脚要素３１、３１の上端部間３１Ｚを横架材１４で連結するなど、中間脚要素３１、３１の間３１Ｘを連結する上補強連結部３２が前記横架材１４を含んで構成されてもよい。
【００３９】
このように、中間脚要素３１、３１の上端部間３１Ｚが横架材１４によって連結されると、逆に横架材１４は少なくとも２つの中間脚要素３１、３１に支持されて剛性が高められるため、特に横架材１４の固有振動数に起因して横揺れが増幅する場合には、横架材１４の剛性が高められることによって固有振動数が上がり、共振現象が抑えられる利点がある。
【００４０】
また、同図に示すように、下補強連結部３３は、一方の中間脚要素３１の上端部３１ａ側と他方の中間脚要素３１の下端部３１ｂ側との間３１Ｘをたすき掛け状に連結する補強部材３５等であってもよく、このような補強部材３５を上記実施形態と同様の面板部３ｒと併用して用いることもできる。
【００４１】
さらに、横架材１４と端部脚１１との接続構造は、上記実施形態のようなジョイント材１５に限らず、例えば図９に示すように、単に横架材１４の端面１４ａに板状のブラケット１８を固定し、この板状のブラケット１８を端部脚１１を構成する横桟１３の立面１３ａに取り付けるようにしてもよい。このような場合にも、上記のような中間脚要素を設けることで天板に対する横揺れ防止効果が得られる点は上記と同様である。
【００４２】
また、本発明の適用対象は端部脚１１の間を横架材１４で連結するものに限らず、図１０に示すように、一対の端部脚１１、１１の間を天板２で直接連結して構成されるテーブルにおいては、中間脚要素３１、３１を天板２に直付けすることで、中間脚要素３１、３１の間を連結する上補強連結部３２を前記天板２を含んで構成してもよい。
【００４３】
このようにしても、天板２を介して中間脚要素３１、３１の倒れ剛性を有効に高めることができる。その上、中間脚要素３１、３１の上端部間が天板２によって連結されると、逆に天板２は少なくとも２つの中間脚要素３１、３１に支持されて剛性が高められることとなるため、天板２の固有振動数に起因して横揺れが増幅する場合には、天板２の剛性が高められることによって固有振動数が上がり、共振現象が抑えられる利点がある。
【００４４】
さらにまた、本発明の適用対象は天板２が奥行き方向Ｙに分割しているものに限らず、例えば図１１に示すように、奥行き方向Ｙに一枚の大型天板６で構成されて、対面で使用可能な一対の天板領域Ｓが設定されているテーブルにおいても、中間脚要素３１、３１をそれら天板領域Ｓ、Ｓ間の境界部付近を支持する位置に配置すれば、上記実施形態と同様の効果が奏される。
【００４５】
その他、中間脚要素を３つ以上使用したり、端部脚にパネルタイプのものを採用するなど、本発明の趣旨を逸脱しない範囲で種々変形が可能である。
【符号の説明】
【００４６】
１…脚体
２…天板
３ｂ…下部間
３ｐ、３ｑ…面板部
４…脚受け部材
１１…端部脚
１４…横架材
３１…中間脚要素
３１ａ…上端部
３１ｂ…下端部
３１Ｚ…上端部間
３２…上補強連結部
３３…下補強連結部
Ａ…隙間
Ｔ…テーブル
Ｘ…所定方向（天板幅方向）
Ｙ…直交する方向（奥行き方向）
【図１】
0005510920.tif 000002
【図２】
0005510920.tif 000003
【図３】
0005510920.tif 000004
【図４】
0005510920.tif 000005
【図５】
0005510920.tif 000006
【図６】
0005510920.tif 000007
【図７】
0005510920.tif 000008
【図８】
0005510920.tif 000009
【図９】
0005510920.tif 000010
【図１０】
0005510920.tif 000011
【図１１】
0005510920.tif 000012